(57)【要約】【課題】偏光板の縁部の視認性を低下させるほか、偏光板と表示媒体層とのマッチング不良の発生を減少させ、光漏れの発生を防止可能な表示装置を提供する。【解決手段】本発明に係る表示装置は、基板と、基板上に設置される表示媒体層と、表示媒体層上に設置される偏光板と、を含む。偏光板は、順番に重畳して配置される第１フィルム層、第２フィルム層及び第３フィルム層を含む。第１フィルム層は第２フィルム層に連結され、第２フィルム層は第３フィルム層に連結される。第１フィルム層の第１下面は第１縁部を有し、第２フィルム層の第２下面は第２縁部を有し、第３フィルム層の第３下面は第３縁部を有する。基板に平行な第１方向において、第１縁部の基板に対する投影と第２縁部の基板に対する投影との第１最短距離は、第２縁部の基板に対する投影と第３縁部の基板に対する投影との第２最短距離と異なる。【選択図】図３Ａ
2018010283.tif 000002
【特許請求の範囲】
【請求項１】
表示装置であって、
基板と、
前記基板上に設置される表示媒体層と、
前記表示媒体層上に設置され、順番に重畳して配置される第１フィルム層、第２フィルム層及び第３フィルム層を少なくとも含み、前記第１フィルム層が前記第２フィルム層に連結され、前記第２フィルム層が前記第３フィルム層に連結され、前記第１フィルム層の第１下面が第１縁部を有し、前記第２フィルム層の第２下面が第２縁部を有し、前記第３フィルム層の第３下面が第３縁部を有する偏光板と、を含み、
前記基板に平行な第１方向において、前記第１縁部の前記基板に対する投影と前記第２縁部の前記基板に対する投影との間に第１最短距離を有し、前記第２縁部の前記基板に対する投影と前記第３縁部の前記基板に対する投影との間に第２最短距離を有し、
前記第１最短距離は、前記第２最短距離と異なることを特徴とする表示装置。
【請求項２】
前記第１方向において、前記第１フィルム層は前記第２フィルム層よりも幅が広く、前記第２フィルム層は前記第３フィルム層よりも幅が広いことを特徴とする請求項１に記載の表示装置。
【請求項３】
前記第２フィルム層の前記第２縁部は、前記第３フィルム層外に露出し、
前記第１フィルム層の前記第１縁部は、前記第２フィルム層外に露出することを特徴とする請求項１に記載の表示装置。
【請求項４】
前記第１方向において、前記第２フィルム層は前記第３フィルム層及び前記第１フィルム層よりも幅が狭いことを特徴とする請求項１に記載の表示装置。
【請求項５】
前記第２フィルム層の前記基板に対する投影は、前記第１フィルム層の前記基板に対する投影及び前記第３フィルム層の前記基板に対する投影内に位置することを特徴とする請求項１に記載の表示装置。
【請求項６】
前記基板を取り囲んで設置されるフレームをさらに含み、
前記第２縁部から前記フレームまでの水平距離は、前記第３縁部から前記フレームまでの水平距離よりも長いことを特徴とする請求項１に記載の表示装置。
【請求項７】
前記フレームと前記偏光板との間に設置されるシールをさらに含み、
前記シールの一部は、前記第１フィルム層と前記第３フィルム層との間に設置されることを特徴とする請求項６に記載の表示装置。
【請求項８】
前記第１フィルム層は、第１側壁を有し、
前記第１側壁と前記第１下面とは、第１挟角をなし、
前記第２フィルム層は、第２側壁を有し、
前記第２側壁と前記第２下面とは、第２挟角をなし、
前記第１挟角は、前記第２挟角と異なることを特徴とする請求項１に記載の表示装置。
【請求項９】
前記基板は、フレキシブル基板であることを特徴とする請求項１に記載の表示装置。
【請求項１０】
前記基板下に設けられる支持部をさらに含み、
前記支持部と前記基板との間には、シール材が設置され、
前記表示媒体層は、有機層であることを特徴とする請求項１に記載の表示装置。
【請求項１１】
前記第１フィルム層、前記第２フィルム層及び前記第３フィルム層の材質は異なることを特徴とする請求項１に記載の表示装置。
【請求項１２】
前記基板は、前記支持部よりも面積が広いことを特徴とする請求項１０に記載の表示装置。
【請求項１３】
液晶分子層である前記表示媒体層と前記偏光板との間に設置される対向基板をさらに含むことを特徴とする請求項１に記載の表示装置。
【請求項１４】
マイクロ発光ダイオードである前記表示媒体層と前記偏光板との間に設置される対向基板をさらに含むことを特徴とする請求項１に記載の表示装置。
【請求項１５】
表示装置であって、
基板と、
前記基板上に設置される表示媒体層と、
前記表示媒体層上に設置され、順番に重畳して配置される第１フィルム層、第２フィルム層及び第３フィルム層を少なくとも含み、前記第１フィルム層が前記第２フィルム層に連結され、前記第２フィルム層が前記第３フィルム層に連結され、前記表示媒体層に向ける表面である下面と、前記下面と対向する上面とを有する偏光板と、を含み、
前記基板と垂直になる断面には、前記偏光板の前記上面の第４縁部と前記偏光板の前記下面の第５縁部との連結線が仮想連結線とされ、
前記第２フィルム層の第２下面は、第２縁部を有し、
前記第３フィルム層の第３下面は、第３縁部を有し、
前記第２縁部と前記仮想連結線との間に第３最短距離を有し、
前記第３縁部と前記仮想連結線との間に第４最短距離を有し、
前記第３最短距離は、前記第４最短距離と異なることを特徴とする表示装置。
【請求項１６】
前記第１フィルム層の第１下面は、第１縁部を有し、
前記第２フィルム層の前記第２縁部は、前記第３フィルム層外に露出し、
前記第１フィルム層の前記第１縁部は、前記第２フィルム層外に露出することを特徴とする請求項１５に記載の表示装置。
【請求項１７】
前記第２フィルム層は、前記第３フィルム層及び前記第１フィルム層よりも幅が狭いことを特徴とする請求項１５に記載の表示装置。
【請求項１８】
前記第２縁部の前記基板に対する投影は、前記第１縁部の前記基板に対する投影と、前記第３縁部の前記基板に対する投影との間に位置することを特徴とする請求項１６に記載の表示装置。
【請求項１９】
シールをさらに含み、
前記シールの少なくとも一部は、前記第１フィルム層と前記第３フィルム層との間に設置されることを特徴とする請求項１５に記載の表示装置。
【請求項２０】
前記第３最短距離は、０．００１ｍｍよりも長く０．１ｍｍよりも短いことを特徴とする請求項１５に記載の表示装置。
【発明の詳細な説明】
【技術分野】
【０００１】
本発明は、表示装置に関し、特に、縁部が不揃いの偏光板を用いる表示装置に関する。
【背景技術】
【０００２】
ディスプレイ技術の進歩に伴って、全ての表示パネルは、小型化、薄型化、軽量化などに進む。このため、市販の主流であるディスプレイ装置は、従来の陰極線管から薄型ディスプレイ、例えば、液晶表示パネル、有機ＥＬ表示パネルまたは無機ＥＬ表示パネルなどに発展している。また、薄型ディスプレイの応用可能分野は非常に多い。日常生活に使用する携帯電話、ノートパソコン、ビデオカメラ、カメラ、音楽プレイヤー、モバイルナビゲーション、テレビなどの表示パネルの多くは、上記のような表示パネルを用いている。
【０００３】
液晶表示装置または有機ＥＬ表示装置は、既に市場で流通している表示装置であり、特に液晶表示装置技術が非常に発達している。しかしながら、表示装置の開発が進むとともに、表示装置における表示品質に対する消費者の要求が高まっているため、より高い表示品質を有する表示装置が各社で開発されている。
【発明の概要】
【発明が解決しようとする課題】
【０００４】
特に、現在の表示装置は、額縁を狭くする傾向が急速に高まっている。なお、額縁の領域を狭くすると、偏光板の縁部がユーザによって視認される恐れがある。その結果、表示装置の外観見栄えの低下を生じてしまう。このように、偏光板の縁部の視認性を低下させて可視領域の範囲を最適化可能な表示装置が求められている。
【０００５】
本発明の主な目的は、偏光板の縁部が特殊の構成を有することで偏光板の縁部の視認性を低下可能な表示装置を提供することである。
【課題を解決するための手段】
【０００６】
本発明の一実施形態に係る表示装置は、基板と、前記基板上に設置される表示媒体層と、前記表示媒体層上に設置される偏光板と、を含む。前記偏光板は、順番に重畳して配置される第１フィルム層、第２フィルム層及び第３フィルム層を少なくとも含む。前記第１フィルム層は、前記第２フィルム層に連結される。前記第２フィルム層は、前記第３フィルム層に連結される。前記第１フィルム層の第１下面は、第１縁部を有する。前記第２フィルム層の第２下面は、第２縁部を有する。前記第３フィルム層の第３下面は、第３縁部を有する。前記基板に平行な第１方向において、前記第１縁部の前記基板に対する投影と前記第２縁部の前記基板に対する投影との間に第１最短距離を有し、前記第２縁部の前記基板に対する投影と前記第３縁部の前記基板に対する投影との間に第２最短距離を有する。前記第１最短距離は、前記第２最短距離と異なる。
【０００７】
本発明の他の実施形態に係る表示装置は、基板と、前記基板上に設置される表示媒体層と、前記表示媒体層上に設置される偏光板と、を含む。前記偏光板は、順番に重畳して配置される第１フィルム層、第２フィルム層及び第３フィルム層を少なくとも含む。前記第１フィルム層は、前記第２フィルム層に連結される。前記第２フィルム層は、前記第３フィルム層に連結される。前記偏光板は、前記表示媒体層に向ける表面である下面と、前記下面と対向する上面とを有する。前記基板と垂直になる断面には、前記偏光板の前記上面の第４縁部と前記偏光板の前記下面の第５縁部との連結線が仮想連結線とされる。前記第２フィルム層の第２下面は、第２縁部を有する。前記第３フィルム層の第３下面は、第３縁部を有する。前記第２縁部と前記仮想連結線との間に第３最短距離を有し、前記第３縁部と前記仮想連結線との間に第４最短距離を有する。前記第３最短距離は、前記第４最短距離と異なる。
【０００８】
一実施形態では、第１フィルム層の第１縁部の基板に対する投影と第２フィルム層の第２縁部の基板に対する投影との間の第１最短距離は、第２フィルム層の第２縁部の基板に対する投影と第３フィルム層の第３縁部の基板に対する投影との間の第２最短距離と異なる場合、または、第２フィルム層の第２縁部と仮想連結線（偏光板の上面及び下面によって形成される）との間の第３最短距離は、第３フィルム層の第３縁部と仮想連結線との間の第４最短距離と異なる場合、上偏光板の縁部が不揃いになる。こうすることで、偏光板の縁部における輝度を表示装置の額縁領域における輝度と一致させ、偏光板の縁部を視覚的にぼかして視認性を低下させることができる。
【０００９】
一実施形態では、表示装置は、基板を取り囲んで設置されるフレームと、フレームと偏光板との間に設置されるシールとをさらに含んでもよい。上述したように、本発明に係る表示装置において、偏光板の縁部が不揃いに設定される。フレームと偏光板との間にシールが設置される場合には、偏光板の縁部を不揃いに設定することにより、シールと上偏光板との接触面積を増やすことができ、温度変化による偏光板内のフィルム層の伸縮を抑え、偏光板と表示媒体層とのマッチング不良の発生を減少させ、光漏れの発生を防止することができる。
【発明の効果】
【００１０】
本発明に係る表示装置によれば、偏光板の縁部の視認性を低下させるほか、偏光板と表示媒体層とのマッチング不良の発生を減少させ、光漏れの発生を防止ことができる。
【図面の簡単な説明】
【００１１】
【図１】本発明の第１実施形態に係る表示装置を示す平面図である。
【図２】本発明の第１実施形態に係る表示装置を示す断面図である。
【図３Ａ】本発明の第１実施形態に係る表示装置の一部を示す断面図である。
【図３Ｂ】本発明の第１実施形態に係る他の表示装置の一部を示す断面図である。
【図４】本発明の第１実施形態の上偏光板が表示パネルに設置された状態を示す平面図である。
【図５】本発明の第２実施形態に係る表示装置の一部を示す断面図である。
【図６】本発明の第３実施形態に係る表示装置の一部を示す断面図である。
【図７】本発明の第３実施形態の上偏光板が表示パネルに設置された状態を示す平面図である。
【図８】本発明の第４実施形態に係る表示装置の一部を示す断面図である。
【図９】本発明の第５実施形態に係る表示装置の一部を示す断面図である。
【図１０】本発明の第５実施形態の上偏光板が表示パネルに設置された状態を示す平面図である。
【図１１】本発明の他の実施形態の上偏光板の一部を示す断面図である。
【図１２】本発明の別の実施形態の上偏光板の一部を示す断面図である。
【図１３】本発明のもう１つの他の実施形態の上偏光板の一部を示す断面図である。
【図１４】本発明のもう１つの別の実施形態の上偏光板の一部を示す断面図である。
【図１５】本発明の実験例に用いる上偏光板の一部を示す断面図である。
【図１６】本発明の実験例に用いる上偏光板の一部を示す断面図である。
【図１７】本発明の実験例に用いる上偏光板の一部を示す断面図である。
【図１８】本発明の実験例の測定結果を示す図である。
【発明を実施するための形態】
【００１２】
以下、本発明の利点及び効果を理解しやすくするために、具体的な実施形態を例示し、本発明の実施形態について説明する。本発明は、その他の具体的な実施形態によって実行や応用することができる。本明細書に開示される技術的思想の範囲内において当業者による様々な変更および修正が可能である。
【００１３】
また、明細書及び請求項に記載されている序数、例えば「第１」、「第２」、「第３」などの用語は、請求項の構成要素の修飾に用いられ、構成要素の順番、限定された数、又は製造方法の順序を示すものではなくて、単にある構成要素を同名の他の構成要素と区別するためのものである。
【００１４】
（第１実施形態）
図１は、本発明の第１実施形態に係る表示装置を示す平面図である。図２は、図１に示す断面線Ｌ１−Ｌ２における断面図である。本実施形態に係る表示装置は、表示パネル１１と、表示パネル１１の一方側に設置される上偏光板１２と、表示パネル１１の他方側に設置される下偏光板１３とを含む。また、本実施形態の表示パネルは、液晶表示パネルである。このため、本実施形態に係る表示装置は、下偏光板１３の下方に設置されるバックライトモジュール１４をさらに含む。上記表示パネル１１、上偏光板１２、下偏光板１３及びバックライトモジュール１４は、いずれもフレーム１５内に設けられる。なお、上偏光板１２とフレーム１５との間の空間、及び下偏光板１３とフレーム１５との間の空間には、いずれもシール１６が選択的に充填される。
【００１５】
図３Ａは、本発明の第１実施形態に係る表示装置の一部を示す断面図であり、図２の破線で示される領域の拡大図である。図３Ａに示すように、本実施形態に係る表示装置の表示パネル１１は、基板１１１、基板１１１に対向して設置される対向基板１１３、及び、基板１１１と対向基板１１３との間に設けられる表示媒体層１１２を含む。本実施形態では、表示媒体層１１２は、液晶表示層である。なお、基板１１１及び対向基板１１３の上方には、表示パネルに必要な部材がそれぞれ設置されてもよい。例えば、基板１１１には、薄膜トランジスタ部や配向層、電極などが設けられてもよいし、対向基板１１３には、カラーフィルタ部、ブラックマトリックス、配向膜、電極などが設けられてもよいが、これらに限定されず、必要に応じて上記部材または他の部材が基板１１１及び／又は対向基板１１３に選択的に設けられてもよい。
【００１６】
本実施形態において、基板１１１及び対向基板１１３は、フレキシブル基板、例えば、プラスチック基板や薄いグラス基板などであってもよい。この場合、基板１１１の剛性を上げるために、本実施形態に係る表示装置は、基板１１１下に設けられる支持部２２をさらに含んでもよい。また、支持部２２と基板１１１との間には、シール材２２１が設置される。なお、本実施形態の基板１１１及び対向基板１１３は、上記フレキシブル基板に限定されず、リジッドな基板、例えば、厚いガラス基板を用いてもよい。この場合、支持部２２は、選択的に設置されてもよいし、設置されなくてもよい。
【００１７】
本実施形態において、図２に示すように、上偏光板１２及び下偏光板１３は、構造が同一または類似する偏光板を用いてもよい。ここでは、上偏光板１２のみについて説明する。図３Ａに示すように、本実施形態に係る表示装置に用いる上偏光板１２は、順番に重畳して配置される第１フィルム層１２３、第２フィルム層１２４及び第３フィルム層１２５を少なくとも含む。第２フィルム層１２４は、第１フィルム層１２３上に設置されるとともに第１フィルム層１２３に連結される。第３フィルム層１２５は、第２フィルム層１２４上に設置されるとともに第２フィルム層１２４に連結される。より詳細には、本実施形態の上偏光板１２は、粘着層１２１と、粘着層１２１上に設置される第１保護層１２２と、第１保護層１２２上に設置される第１フィルム層１２３と、第１フィルム層１２３上に設置されるとともに第１フィルム層１２３に連結される第２フィルム層１２４と、第２フィルム層１２４上に設置されるとともに第２フィルム層１２４に連結される第３フィルム層１２５と、を含む。なお、フィルム層同士は、粘着によって連結されてもよいし、コーティング（ｃｏａｔｉｎｇ）によって連結されてもよい。
【００１８】
なお、第１フィルム層１２３、第２フィルム層１２４及び第３フィルム層１２５の材質は、互いに異なる。より詳細には、本実施形態では、上偏光板１２は、粘着層１２１を介して表示パネル１１上に粘着される。通常、粘着層１２１の材料は、感圧性粘着剤（ＰＳＡ）である。第１保護層１２２は、主にその上方にある第１フィルム層１２３の完全性を保護するとともに、第１フィルム層１２３の後退を防止するためのものである。また、第１保護層１２２は、表示装置の広視野角化に寄与する場合がある。第１保護層１２２の材料としては、例えば、セルローストリアセテート（ＴＡＣ）が用いられる。第１フィルム層１２３は、偏光板が偏光特性を有するための主なフィルム層であり、特定の電界方向の光を吸収することができる。第１フィルム層１２３の材料としては、例えば、二色性物質（ヨウ素系、染料系など）を吸着するポリビニルアルコール（ＰＶＡ）などの高分子薄膜が用いられる。第２フィルム層１２４の材料としては、第２フィルム層１２４の下方にある第１フィルム層１２３の完全性を保護するとともに第１フィルム層１２３の後退を防止するための、例えば、ＴＡＣが用いられる。第３フィルム層１２５は、例えば、表面保護層であり、必要に応じて異なる特性を有するフィルム層である。例えば、第３フィルム層１２５は、環境光によるディスプレイへの影響を抑制可能な反射防止層、低反射層または防眩処理層であってもよいし、汚れにくさを向上可能な防汚性層であってもよいし、表面の硬度を向上可能な高硬度層であってもよい。
【００１９】
なお、上述したのは、本発明の一実施形態のみについての説明である。本発明では、第１フィルム層、第２フィルム層及び第３フィルム層は、それぞれ必ずしもＰＶＡ、ＴＡＣ及び表面保護層でなくてもよい。第１フィルム層、第２フィルム層及び第３フィルム層は、偏光板内における、連続した３つの層であり、第１フィルム層が第２フィルム層の一方側に連結され、第３フィルム層が第２フィルム層の他方側に連結されるように設置すれば、本発明の第１フィルム層、第２フィルム層及び第３フィルム層の保護範囲内にある。ここでの「連結」とは、シールによる連結、フィルム層自身の粘着性による連結、または一フィルム層を他のフィルム層上にコーティングするような連結であってもよい。
【００２０】
図１及び図２に示すように、表示装置の狭額縁化の発展に伴って、ユーザは上偏光板１２の縁部１２ａを容易に目視するようになるため、表示装置の外観の見栄えを低下させてしまう問題がある。この問題を解決するために、本実施形態の上偏光板１２は特殊構成を有することで、上偏光板１２の縁部１２ａの視認性を低下させることができる。
【００２１】
図４は、本発明の第１実施形態の上偏光板が表示パネルに設置された状態を示す平面図である。なお、図４に示す上偏光板の各フィルム層と表示パネルとの比例関係は、上偏光板の各フィルム層同士間の関係を示すために便宜に図示されたものである。図３Ａ及び図４に示すように、本実施形態の上偏光板１２は、階段形状に類似する形状の構成を有する。より詳細には、第１フィルム層１２３の第１下面１２３ａは第１縁部１２３ｂを有し、第２フィルム層１２４の第２下面１２４ａは第２縁部１２４ｂを有し、第３フィルム層１２５の第３下面１２５ａは第３縁部１２５ｂを有する。基板１１１に平行な第１方向Ｘにおいて、第１縁部１２３ｂの基板１１１に対する投影と第２縁部１２４ｂの基板１１１に対する投影との間に第１最短距離Ｄ１を有し、第２縁部１２４ｂの基板１１１に対する投影と第３縁部１２５ｂの基板１１１に対する投影との間に第２最短距離Ｄ２を有する。なお、第１最短距離Ｄ１及び第２最短距離Ｄ２は、いずれも０よりも大きくかつ異なる。ここでは、「基板１１１に平行な第１方向Ｘ」とは、基板１１１の表面に平行な方向である。また、図４において、基板１１１に平行な第１方向Ｘは、図に示される矢印の方向に限定されず、紙に平行な方向であればよい。
【００２２】
一方、図３Ａに示すように、上偏光板１２は、上面１２５ｃ及び下面１２１ａを有する。下面１２１ａは、上偏光板１２の表示媒体層１１２に向ける表面である。上面１２５ｃは、下面１２１ａと対向する。基板１１１と垂直になる断面（すなわち、図３Ａに示す断面図）において、上偏光板１２の上面１２５ｃの第４縁部１２５ｄと上偏光板１２の下面１２１ａの第５縁部１２１ｂとを結ぶ仮想連結線は破線で示される。第２フィルム層１２４の第２下面１２４ａは、第２縁部１２４ｂを有し、第３フィルム層１２５の第３下面１２５ａは、第３縁部１２５ｂを有する。第２縁部１２４ｂと仮想連結線（破線で示される）との間に第３最短距離Ｄ３を有し、第３縁部１２５ｂと仮想連結線（破線で示される）との間に第３最短距離Ｄ３と異なる第４最短距離Ｄ４を有する。なお、第３最短距離Ｄ３は、０．００１ｍｍよりも長く０．１ｍｍより短いことが好ましい。
【００２３】
上述したように、第１フィルム層１２３の第１縁部１２３ｂの基板１１１に対する投影と第２フィルム層１２４の第２縁部１２４ｂの基板１１１に対する投影との間の第１最短距離Ｄ１は、第２フィルム層１２４の第２縁部１２４ｂの基板１１１に対する投影と第３フィルム層１２５の第３縁部１２５ｂの基板１１１に対する投影との間の第２最短距離Ｄ２と異なる場合、または、第２フィルム層１２４の第２縁部１２４ｂと仮想連結線（破線で示される）との間の第３最短距離Ｄ３は、第３フィルム層１２５の第３縁部１２５ｂと仮想連結線との間の第４最短距離Ｄ４と異なる場合、上偏光板１２の縁部が不揃いになる。このように、縁部の不揃いにより、上偏光板１２に入射した光線はこの不揃いの縁部において散乱するようになり、上偏光板１２の縁部を視覚的にぼかすことができる。さらに、上偏光板１２の縁部における輝度を表示装置の額縁領域（未図示）における輝度と一致することで、上偏光板１２の縁部の視認性を低下させることができる。
【００２４】
また、本実施形態では、図４に示すように、第１方向において、第１フィルム層１２３の幅Ｗ１は第２フィルム層１２４の幅Ｗ２よりも広く、第２フィルム層１２４の幅Ｗ２は第３フィルム層１２５の幅Ｗ３よりも広い。ここでは、表示装置の短辺のみを例示して説明するが、これに限定されない。なお、表示装置の長辺は、短辺と同一の特徴を選択的に有してもよい。
【００２５】
また、本実施形態では、図４に示すように、第２フィルム層１２４の第２縁部１２４ｂは第３フィルム層１２５外に露出し、第１フィルム層１２３の第１縁部１２３ｂは第２フィルム層１２４外に露出する。ここでは、上偏光板の１辺の縁部のみを例示して説明するが、これに限定されない。なお、上偏光板の任意の１辺は、上記と同一の特徴を選択的に有してもよい。
【００２６】
したがって、図３Ａ及び図４に示すように、本実施形態の上偏光板１２は、階段状の側辺を有する。これにより、上偏光板１２に入射した光線を不揃いの縁部において散乱させ、上偏光板１２の縁部の視認性を低下させることができる。好ましくは、上偏光板の側壁が粗面を有し、より好ましくは、上偏光板の異なるフィルム層の側壁が異なる粗さを有する。こうすることで、より優れた散乱効果が得られ、上偏光板の縁部が額縁の輝度と一致する輝度を有し、可視範囲を最適化することができる（図３Ｂを参照）。
【００２７】
また、図３Ａ及び図４に示すように、本実施形態に係る表示装置は、基板１１１を取り囲んで設置されるフレーム１５と、フレーム１５と上偏光板１２との間に設置されるシール１６とをさらに含んでもよい。上述したように、本実施形態に係る表示装置において、上偏光板１２の縁部が不揃いに設定される。フレーム１５と上偏光板１２との間にシール１６が設置される場合には、上偏光板１２の縁部を不揃いに設定することにより、シール１６と上偏光板１２との接触面積を増やすことができ、温度変化による上偏光板１２内のフィルム層の伸縮を抑え、上偏光板１２と表示媒体層１１２とのマッチング不良の発生を減少させ、光漏れの発生を防止することができる。
【００２８】
（第２実施形態）
図５は、本実施形態に係る表示装置の一部を示す断面図である。本実施形態に係る表示装置は、後述する相違点以外、第１実施形態に係る表示装置と構成が類似する。
【００２９】
第１実施形態に係る表示装置は、液晶表示装置であり、一方、本実施形態に係る表示装置は、有機ＥＬ表示装置である。このため、本実施形態に係る表示装置には、第１実施形態のバックライトモジュール１４及び下偏光板１３（図２を参照）が設置されなくてもよい。
【００３０】
また、図５に示すように、本実施形態では、上偏光板１２は、表示パネル１１の表示媒体層１１２上に直接設けられてもよい。すなわち、本実施形態の表示パネル１１は、図３Ａに示す対向基板１１３を含まないが、これに限定されない。本発明の他の実施形態の有機ＥＬ表示装置では、表示パネル１１は、有機発光ダイオードからなる表示媒体層１１２への水蒸気の侵入を抑制するように、図３Ａに示す対向基板１１３を含んでもよいし、図３Ａに示す対向基板１１３をバリア膜に置換してもよい。なお、本発明の表示装置は、マイクロ発光ダイオード表示装置（ｍｉｃｒｏ  ＬＥＤ  ｄｉｓｐｌａｙ  ａｐｐａｒａｔｕｓ）であってもよい。表示媒体層１１２は、マイクロ発光ダイオード（ｍｉｃｒｏ  ＬＥＤ）である。マイクロ発光ダイオードは、ボンディング（ｂｏｎｄｉｎｇ）またはエピタキシャル成長によって基板上に形成されてもよい。
【００３１】
（第３実施形態）
図６は、本実施形態に係る表示装置の一部を示す断面図である。図７は、本実施形態の上偏光板が表示パネルに設置された状態を示す平面図である。本実施形態に係る表示装置は、後述する相違点以外、第１実施形態に係る表示装置と構成が類似する。
【００３２】
図３Ａに示すように、第１実施形態の上偏光板１２の各フィルム層は、表示パネル１１から上方へ徐々に小さくなるように設定される。図６に示すように、本実施形態の上偏光板１２の各フィルム層は、表示パネル１１から上方へ徐々に大きくなるように設定される。しかしながら、図３Ａに示す各フィルム層が徐々に小さくなる上偏光板１２または図６に示す各フィルム層が徐々に大きくなる上偏光板１２を問わず、不揃いの縁部を設けることで、シール１６と上偏光板１２との接触面積を増やすことができ、温度変化による上偏光板１２の伸縮を抑え、上偏光板１２と表示媒体層１１２とのマッチング不良の発生を減少させ、光漏れの発生を防止することができる。
【００３３】
（第４実施形態）
図８は、本実施形態に係る表示装置の一部を示す断面図である。本実施形態に係る表示装置の構成は、第３実施形態に係る表示装置の構成と類似しているが、相違点は、本実施形態に係る表示装置が有機ＥＬ表示装置で、第３実施形態に係る表示装置が液晶表示装置である点にある。このため、本実施形態では、表示装置は、上偏光板の構成以外、その他の特徴が第２実施形態の特徴と同じである。
【００３４】
（第５実施形態）
図９は、本実施形態に係る表示装置の一部を示す断面図である。図１０は、本実施形態の上偏光板が表示パネルに設置された状態を示す平面図である。本実施形態に係る表示装置の構成は、第１実施形態に係る表示装置の構成と類似しているが、相違点は、本実施形態の上偏光板１２の各フィルム層が、第１実施形態と違って、表示パネル１１から上方へ徐々に小さくならない点にある。
【００３５】
より詳細には、図１０に示すように、第１方向において、第２フィルム層１２４の幅Ｗ２（第２フィルム層１２４の第２下面１２４ａで計算する）は、第３フィルム層１２５の幅Ｗ３及び第１フィルム層１２３の幅Ｗ１（第１フィルム層１２３の第１下面１２３ａで計算する）よりも狭い。言い換えれば、第２フィルム層１２４（またはその第２縁部１２４ｂ）の基板１１１に対する投影は、第１フィルム層１２３（またはその第１縁部１２３ｂ）の基板１１１に対する投影及び第３フィルム層１２５（またはその第３縁部１２５ｂ）の基板１１１に対する投影内に位置する。
【００３６】
図９に示すように、本実施形態に係る表示装置は、基板１１１を取り囲んで設置されるフレーム１５をさらに含む。第２フィルム層１２４の第２縁部１２４ｂからフレーム１５までの水平距離Ｄ６は、第３フィルム層１２５の第３縁部１２５ｂからフレーム１５までの水平距離Ｄ５よりも長い。ここでは、「水平距離Ｄ５、Ｄ６」とは、基板１１１の表面に平行な方向の距離である。
【００３７】
また、本実施形態に係る表示装置は、フレーム１５と上偏光板１２との間に設置されるシール１６をさらに含む。本実施形態では、上偏光板１２の第２フィルム層１２４は、第１フィルム層１２３及び第３フィルム層１２５よりも内側へ窪むように設定されるため、シール１６の一部が第１フィルム層１２３と第３フィルム層１２５との間にさらに設置される。
【００３８】
また、本実施形態の上偏光板１２では、第１フィルム層１２３が第１側壁１２３ｃを有し、第１側壁１２３ｃと第１下面１２３ａとが第１挟角θ１をなし、第２フィルム層１２４が第２側壁１２４ｃを有し、第２側壁１２４ｃと第２下面１２４ａとが第２挟角θ２をなす。なお、第１挟角θ１は、第２挟角θ２と異なる。
【００３９】
一方、本実施形態に係る表示装置は、基板１１１下に設けられる支持部２２をさらに含む。支持部２２と基板１１１との間には、シール材２２１が設置される。ここでは、基板１１１の面積は、支持部２２の面積よりも広い。また、本発明の他の実施形態では、基板１１１の面積は、支持部２２の面積と同じであってもよい。表示装置が有機ＥＬ表示装置の場合、特に基板１１１がフレキシブル基板の場合、基板１１１の面積は、支持部２２の面積よりも大きくて水や酸素の進入を防止することができる。
【００４０】
（その他の実施形態）
上記第１実施形態〜第５実施形態では、表示装置の上偏光板の断面は、規則的な四角形に設定されるが、これに限定されない。図１１〜図１４は、本発明の他の実施形態の上偏光板の一部を示す断面図である。これらの図面から、本発明の表示装置に適する上偏光板は規則的な外形を有さなくてもよいことがわかった。なお、上偏光板の縁部を不揃いに設定すれば、本発明の偏光板の縁部の視認性の低下及び信頼度の向上などの目的を達成することができる。
【００４１】
（実験例）
本実験例では、第１実施形態に係る表示装置を実験対象とし、図１の取り出し領域Ｌ３−Ｌ４の輝度を測定する。本実験例では、使用する上偏光板１２の構成は図１５〜図１７に示される。なお、図１７に示す上偏光板１２の縁部１２ｂは、異なる粗さ（Ｒａ）を有する。測定結果は、図１８に示される。
【００４２】
図１８のＡＡは、図１５〜図１７の表示領域ＡＡに対応し、図１８のＰＯＬは、図１５〜図１７の上偏光板１２の縁部が不規則な領域ＰＯＬに対応し、図１８のＢは、図１のフレーム１５の所在領域に対応し、図１８のハッチング領域は、「額縁輝度」域である。ここでは、「額縁輝度」とは、ディスプレイ画面に信号を供給する場合、縁部領域（非表示領域）に光源（外部環境または内部のバックライト）を照射して測定された輝度である。
【００４３】
図１８に示すように、図１５に示す上偏光板１２を使用する場合には、測定した光源強度が額縁輝度よりも低い。その原因としては、上偏光板１２の側辺を揃えるように設定し、外部からの光源が反射されず、上偏光板１２の境界を鮮明に視認すると考えられる。また、図１６に示す上偏光板１２を使用する場合には、測定した光源強度が額縁輝度に近づく。その原因としては、第３フィルム層１２５の幅が狭く、外部の光源の一部を反射可能であり、上偏光板１２の境界をぼかすと考えられる。図１７に示す上偏光板１２を使用する場合、上偏光板１２の縁部１２ｂの粗さの増加に伴って、測定した光源強度が額縁輝度の範囲内にある。その原因としては、上偏光板１２の縁部１２ｂを不揃いに設定し、外部の光源をよく散乱させ、上偏光板１２の縁部１２ｂを視覚的にぼかして視認性を低下させると考えられる。このため、ユーザはパネルの可視範囲が広くなったと感じ、可視範囲を最適化することができる。
【００４４】
以上のように、本発明に係る表示装置では、偏光板の縁部が不揃いに設定され、この不揃いの縁部において光源を散乱させ、偏光板の縁部を視覚的にぼかすことができ、偏光板の縁部の視認性を低下させて可視範囲を最適化することができる。
【００４５】
本発明では、上記実施形態による表示装置は、タッチパネルと合わせてタッチ表示装置として使用することができる。また、本発明の上記実施形態による表示装置またはタッチ表示装置は、本技術分野において表示スクリーンが必要な電子機器、例えば、ディスプレイ、携帯電話、ノートパソコン、ビデオカメラ、カメラ、音楽プレイヤー、モバイルナビゲーション・デバイス、テレビなどに適用することができる。
【００４６】
以上、具体的な実施形態により、本発明の目的、技術内容及び効果について詳しく説明した。本明細書に開示された実施形態は、本発明を限定するものではなく、説明するためのものである。本発明の精神及び原則内になされた如何なる変更、均等的な置換、改良等は、いずれも本発明の保護範囲に含まれるものである。
【符号の説明】
【００４７】
１１ 表示パネル
１１１ 基板
１１２ 表示媒体層
１１３ 対向基板
１２ 上偏光板
１２ａ、１２ｂ 縁部
１２１ 粘着層
１２１ａ 下面
１２１ｂ 第５縁部
１２２ 第１保護層
１２３ 第１フィルム層
１２３ａ 第１下面
１２３ｂ 第１縁部
１２３ｃ 第１側壁
１２４ 第２フィルム層
１２４ａ 第２下面
１２４ｂ 第２縁部
１２４ｃ 第２側壁
１２５ 第３フィルム層
１２５ａ 第３下面
１２５ｂ 第３縁部
１２５ｃ 上面
１２５ｄ 第４縁部
１３ 下偏光板
１４ バックライトモジュール
１５ フレーム
１６ シール
２２ 支持部
２２１ シール材
ＡＡ 表示領域
Ｄ１ 第１最短距離
Ｄ２ 第２最短距離
Ｄ３ 第３最短距離
Ｄ４ 第４最短距離
Ｄ５、Ｄ６ 水平距離
Ｌ１、Ｌ２ 断面線
Ｌ３、Ｌ４ 取り出し領域
ＰＯＬ 不規則的な領域
Ｗ１、Ｗ２、Ｗ３ 幅
Ｘ 第１方向
θ１ 第１挟角
θ２ 第２挟角
【図１】
2018010283.tif 000003
【図２】
2018010283.tif 000004
【図３Ａ】
2018010283.tif 000005
【図３Ｂ】
2018010283.tif 000006
【図４】
2018010283.tif 000007
【図５】
2018010283.tif 000008
【図６】
2018010283.tif 000009
【図７】
2018010283.tif 000010
【図８】
2018010283.tif 000011
【図９】
2018010283.tif 000012
【図１０】
2018010283.tif 000013
【図１１】
2018010283.tif 000014
【図１２】
2018010283.tif 000015
【図１３】
2018010283.tif 000016
【図１４】
2018010283.tif 000017
【図１５】
2018010283.tif 000018
【図１６】
2018010283.tif 000019
【図１７】
2018010283.tif 000020
【図１８】
2018010283.tif 000021